(57)【要約】【課題】  食品、飲料、医薬品等を収納した比較的長さ寸法の大きい長尺状物品における上下、前後、左右の全方向に対して高い緩衝機能を備える中仕切りを提供する。【解決手段】４枚の外周壁を構成する第１側板から第４側板及び糊代片を折線を介して横一方向に順次連接し、第１側板の下端に第１糊代付き仕切り板を設け、第１糊代付き仕切り板の左右端のいずれか一方に第１側板との間に間隔を有するとともに、切断線を介して第２糊代付き仕切り板を設け、折線にしたがって貼着し、表裏に逆向きの力を加え引き起こすことで、第１糊代付き仕切り板と第２糊代付き仕切り板に形成される切断線に沿ってそれぞれ分離させ、上方から下方に向かう凹状の保持部を有する複数の仕切り板を形成するとともに、仕切り板の下端部が第１側板の下端部より上方に位置することを特徴とする中仕切り。【選択図】  図４
2015113158.tif 000002
【特許請求の範囲】
【請求項１】
４枚の外周壁を構成する第１側板から第４側板及び糊代片を折線を介して横一方向に順次連接し、
前記第１側板の下端には、折線を介して第１糊代付き仕切り板を設け、
前記第１糊代付き仕切り板の左右端のいずれか一方には、前記第１側板との間に間隔を有するとともに、切断線を介して第２糊代付き仕切り板を設け、
折線にしたがって前記第１糊代付き仕切り板を内折りし、第１側板糊代を前記第１側板に貼着し、
折線にしたがって前記第１糊代付き仕切り板と前記第１側板を左折り又は右折りして、前記第１側板に対向する第３側板の上に重ねて、少なくとも前記第２糊代付き仕切り板の第３側板糊代を前記第３側板に貼着し、
折線にしたがって前記第４側板を右折り又は左折りして、前記糊代片の上に重ねて貼着し、
表裏に逆向きの力を加え引き起こすことで、前記第１糊代付き仕切り板と前記第２糊代付き仕切り板に形成される切断線に沿ってそれぞれ分離させ、上方から下方に向かう凹状の保持部を有する複数の仕切り板を形成するとともに、前記仕切り板の下端部が前記第１側板の下端部より上方に位置することを特徴とする中仕切り。
【請求項２】
前記第１側板糊代は前記第１側板の少なくとも下端部に貼着され、前記第３側板糊代は前記第１側板糊代が貼着される前記下端部よりも上方の前記第３側板に貼着される請求項１に記載の中仕切り。
【請求項３】
前記仕切り板には、前記保持部と前記第１側板又は前記第３側板との間に収容空間が形成される請求項１又は請求項２に記載の中仕切り。
【請求項４】
少なくとも前記第２糊代付き仕切り板により形成される仕切り板の前記保持部は分離により形成される請求項１から請求項３のいずれか１項に記載の中仕切り。
【請求項５】
前記保持部は、それぞれの前記仕切り板にて形状が相違する請求項１から請求項４のいずれか１項に記載の中仕切り。
【発明の詳細な説明】
【技術分野】
【０００１】
本発明は、包装用箱に使用される中仕切りに関するものであって、特に食品、飲料、医薬品等を収納した比較的長さ寸法の大きい長尺状物品を収容する中仕切りに関するものである。
【背景技術】
【０００２】
従来より、破損しやすい物品を外部から与えられる衝撃から守るために、緩衝機能を備えた中仕切りが使用される。例えば、食品、飲料、医薬品等を収納した長尺状物品を収容する中仕切りとして、いわゆるロンドレーションと呼ばれるものがある。当該ロンドレーションは、波状の形状によって物品を挟んで収納するものである。
【０００３】
例えば、ベースシートと、山部と谷部とが交互に連続して成形されるとともに、所定間隔を有する複数列をなしてベースシート上に固定され、収容される物品の複数部位を抱持する成形シートからなるロンドレーション容器が公知である（特許文献１参照）。
【先行技術文献】
【特許文献】
【０００４】
【特許文献１】特開２０１２−１１６５４８号
【発明の概要】
【発明が解決しようとする課題】
【０００５】
しかしながら、上記構造では、左右方向からの衝撃は波状の構造により緩和できるものであるが、これに対して上下方向からの衝撃には弱いものであり、特に、成形シートと長尺状物品が当接する下方からの衝撃においては、直接長尺状物品に伝わってしまうため、破損してしまう虞がある。
【０００６】
そこで、本発明はこのような問題点を解決するものであって、食品、飲料、医薬品等を収納した比較的長さ寸法の大きい長尺状物品における上下、前後、左右の全方向に対して高い緩衝機能を備える中仕切りを提供することを課題とする。
【課題を解決するための手段】
【０００７】
前記問題点を解決するために、本発明の請求項１に記載の中仕切りは、４枚の外周壁を構成する第１側板から第４側板及び糊代片を折線を介して横一方向に順次連接し、前記第１側板の下端には、折線を介して第１糊代付き仕切り板を設け、前記第１糊代付き仕切り板の左右端のいずれか一方には、前記第１側板との間に間隔を有するとともに、切断線を介して第２糊代付き仕切り板を設け、折線にしたがって前記第１糊代付き仕切り板を内折りし、第１側板糊代を前記第１側板に貼着し、折線にしたがって前記第１糊代付き仕切り板と前記第１側板を左折り又は右折りして、前記第１側板に対向する第３側板の上に重ねて、少なくとも前記第２糊代付き仕切り板の第３側板糊代を前記第３側板に貼着し、折線にしたがって前記第４側板を右折り又は左折りして、前記糊代片の上に重ねて貼着し、表裏に逆向きの力を加え引き起こすことで、前記第１糊代付き仕切り板と前記第２糊代付き仕切り板に形成される切断線に沿ってそれぞれ分離させ、上方から下方に向かう凹状の保持部を有する複数の仕切り板を形成するとともに、前記仕切り板の下端部が前記第１側板の下端部より上方に位置することを特徴とするものである。
【０００８】
また、本発明の請求項２に記載の中仕切りは、請求項１に記載の中仕切りにおいて、前記第１側板糊代は前記第１側板の少なくとも下端部に貼着され、前記第３側板糊代は前記第１側板糊代が貼着される前記下端部よりも上方の前記第３側板に貼着されるものである。
【０００９】
また、本発明の請求項３に記載の中仕切りは、請求項１又は請求項２に記載の中仕切りにおいて、前記仕切り板には、前記保持部と前記第１側板又は前記第３側板との間に収容空間が形成されるものである。
【００１０】
また、本発明の請求項４に記載の中仕切りは、請求項１から請求項３のいずれか１項に記載の中仕切りにおいて、少なくとも前記第２糊代付き仕切り板により形成される仕切り板の前記保持部は分離により形成されるものである。
【００１１】
また、本発明の請求項５に記載の中仕切りは、請求項１から請求項４のいずれか１項に記載の中仕切りにおいて、前記保持部は、それぞれの前記仕切り板にて形状が相違するものである。
【発明の効果】
【００１２】
本発明の包装用箱では、食品、飲料、医薬品等を収納した比較的長さ寸法の大きい長尺状物品を複数の仕切り板の各保持部で保持することで、当該長尺状物品の上下、前後、左右のいずれの方向からの外部振動に対しても安定した状態となり、高い緩衝機能を備えることができる。
【００１３】
また、折線にしたがって各構成板を折曲し、表裏に逆向きの力を加え引き起こすことでそれぞれの仕切り板を形成することができるので、自動製函機（サックマシン）で作製できるものとなり、量産化がし易いものとなる。
【図面の簡単な説明】
【００１４】
【図１】本発明の実施例１における中仕切りを展開した状態の表面図である。
【図２】本発明の実施例１における中仕切りを展開した状態の要部拡大表面図である。
【図３】本発明の実施例１における中仕切りを展開した状態の折り畳み状態図である。
【図４】本発明の実施例１における中仕切りを組み立てた状態の斜視図である。
【図５】本発明の実施例１における中仕切りを組み立てた状態にてプレフィルドシリンジを収容した平面図である。
【図６】本発明の実施例２における中仕切りを展開した状態の第１、第２糊代付き仕切り板周辺の拡大表面図である。
【図７】本発明の実施例３における中仕切りを展開した状態の第１、第２糊代付き仕切り板周辺の拡大表面図である。
【図８】本発明の実施例４における中仕切りを展開した状態の第１、第２糊代付き仕切り板周辺の拡大表面図である。
【図９】本発明の別実施例における中仕切りを展開した状態の表面図である。
【発明を実施するための形態】
【００１５】
以下、本発明の実施の形態における中仕切りを図面に基づいて説明する。当該中仕切りにおいては、食品、飲料、医薬品等を収納した比較的長さ寸法の大きい長尺状物品を収容するものであって、１個又は複数個の中仕切りが一般的な包装用箱（図示しない）に収容されるものである。実施例では、長尺状物品として、予め薬剤が充填された注射器（以下、プレフィルドシリンジという。）を例に説明するが、これに限られるものではない。
【００１６】
また、中仕切りを収容する包装用箱を基準として、上方蓋が設けられる側を当該中仕切りの上方とし、下方蓋が設けられる側を当該中仕切りの下方とする。また、展開図において、上下方向を縦とし、左右方向を横とする。
【００１７】
また、折り方については、中仕切りを形成する台紙の裏面を基準として、横方向に連接する側板の裏面に対して、上下方向においては、基準面に近づく折り方を内折りとし、離れる折り方を外折りとする。また、左右方向においては、右側を左側の上に重ねる折り方を右折りとし、左側を右側の上に重ねる折り方を左折りとする。
【００１８】
本発明に係る中仕切りは、予め所定の形状に形成された１枚の台紙を折線にしたがって予め折り曲げるとともに、所定箇所を貼着し、扁平状態から当該台紙を表裏に逆向きの力を加え引き起こすことで、方形状の中仕切りとして起立させることができ、中仕切りの内部に複数の仕切り板を形成するものである。
【００１９】
このように、中仕切りを組み立てるまでは扁平状態としておくことができるので、運搬、保管等に便利である。また、当該扁平状態から表裏に逆向きの力を加え引き起こすだけの簡易な操作で組み立てることができるので、組立操作性にも優れたものとなる。
【００２０】
また、中仕切りの内部には、凹状の保持部を有する複数の仕切り板を当該中仕切りの長手方向に沿って、所定間隔を有して連続して形成することで、長尺状物品における長手方向の各部位を保持部により保持し、長尺状物品における上下、前後、左右の全方向に対する緩衝能力を向上させることができる。更に、保持部の形状は、長尺状物品における長手方向の各部位に対応するよう適宜形成されるため、保持能力も向上させることができる。
【実施例１】
【００２１】
本発明に係る中仕切りは、一枚の台紙から形成されており、図１に示すような展開図からなるものである。図１は、当該中仕切りを展開した状態の表面図である。図２は、図１の要部拡大表面図である。中仕切りは展開した状態において、４枚の外周壁を構成する第１側板から第４側板を折線ａ、ｂ、ｃを介して横一方向に順次連接している。また、糊代片５は、横一方向に折線ｄを介して第１側板に連接される。尚、本実施例においては、前側板１、左側板２、後側板３、右側板４を折線ａ、ｂ、ｃを介して横一方向に順次連設し、糊代片５を折線ｄを介して第１側板の横一方向に連接してなる。
【００２２】
中仕切りは、比較的長さ寸法の大きい長尺状物品であるプレフィルドシリンジＳを収容することから、前側板１と後側板３の横寸法は、左側板２と右側板４の横寸法より大きくなるよう設定される。糊代片５は、前側板１側を下底とした略台形状に形成され、糊代片５の横寸法は、右側板４における横寸法の略１／２とされる。また、図１に示すように、糊代片５の表面部は、糊等が塗布される糊代部とされる。また、前側板１の下端には、包装用箱の開封時に開封片が当接するのを回避するために切欠部６を設けることもできる。
【００２３】
同図に示すように、前側板１の上端には、折線ｅを介して第１糊代付き仕切り板７が設けられる。当該第１糊代付き仕切り板７は、組み立て時における中仕切りの切断線の働きで、糊代部と仕切り板に分離させることによって、当該中仕切りの前側板１から後側板３にかけて仕切り板を形成するものである。
【００２４】
より詳細には、図１及び図２に示すように、本実施例における第１糊代付き仕切り板７は、２個の仕切り板からなる第１仕切り板を形成するものである。第１糊代付き仕切り板７は、前側板１における横寸法の略２／３程度であって、同程度の縦寸法に設定され、前側板１における上端の左端から右端に向けて設けられる。
【００２５】
そして、第１糊代付き仕切り板７の左端近傍に縦方向に設けられる切断線ａと、略中央部近傍に縦方向に分断して設けられる切断線ｂ、ｃと、右端に縦方向に分断して設けられる切断線ｄ、ｅとにより、第１糊代付き仕切り板７は縦方向に区画される。具体的には、裏面部に糊等が塗布される糊代部Ｐ１と第１仕切り前板構成区画８と第１仕切り後板構成区画９とに３つに区画される。当該第１仕切り前板構成区画８と第１仕切り後板構成区画９とにより、後述する２個の仕切り板を構成するものである。
【００２６】
更には、折線ｅから間隔ｔ１を有した上方であって、切断線ａの下端近傍から切断線ｂと切断線ｃの間を通り、第１仕切り前板構成区画８を第１仕切り前板１０と前側板前糊代１１とに分離する切断線ｆが設けられる。本実施例においては、切断線ｆは折線ｅに平行な直線部と、その後に右上方側へと延びる曲線部とから形成される。当該切断線ｆによって、第１仕切り前板１０の下端部が構成される。また、第１仕切り前板１０の上端には、上方から下方に向かう凹状の第１前保持部１２が設けられる。
【００２７】
そして、切断線ｆに連続して切断線ｄの上端近傍に至るまで、第１仕切り後板構成区画９を第１後側板糊代１３と後述の前側板後糊代１５を含む第１仕切り後板１４とに分離する切断線ｇが設けられる。本実施例においては、当該切断線ｇは、切断線ｂと切断線ｃの間を通って右上方側に向かうとともに、切断線ｂから横方向に所定の間隙ｄ１を有した箇所にて、上方に凸状となる突部１６を形成し、後に下方へ凹状の第１後保持部１７を形成するようにして設けられる。当該切断線ｇによって、第１仕切り後板１４の上端部が構成される。また、第１後保持部１７は、第１仕切り後板構成区画９における横寸法の略中央部近傍であって、縦寸法の略中央部上方に設けることが望ましい。
【００２８】
また、同図に示すように、第１糊代付き仕切り板７の右端には、切断線ｄ、ｅを介して第２糊代付き仕切り板１８が設けられる。当該第２糊代付き仕切り板１８は、組み立て時における中仕切りの切断線の働きで、糊代部と仕切り板に分離させることによって、当該中仕切りの前側板１から後側板３にかけて仕切り板を形成するものである。この点において、第１糊代付き仕切り板７と同様である。
【００２９】
より詳細には、本実施例における第２糊代付き仕切り板１８は、１個の第２仕切り板を形成するものである。第２糊代付き仕切り板１８は、第１糊代付き仕切り板７における横寸法の略３／４程度に設定され、前側板１における上端から間隔ｔ２を有した上方に連接される。そして、第２糊代付き仕切り板１８の略中央部近傍に縦方向に設けられる切断線ｈにより、第２糊代付き仕切り板１８は縦方向に２つに区画される。具体的には、第２仕切り板構成区画１９と表面部に糊等が塗布される糊代部Ｐ２とに区画される。当該第２仕切り板構成区画１９により、後述する１個の仕切り板を構成するものである。
【００３０】
更に、第１仕切り後板構成区画９から第２仕切り板構成区画１９にかけて、切断線ｆ、ｇと同様にして、切断線ｉ、ｊが設けられる。具体的には、折線ｅから間隔ｔ３を有した上方であって、切断線ｃの下端近傍から切断線ｄと切断線ｅの間を通り、第１仕切り後板１４と前側板後糊代１５とに分離する切断線ｉが設けられる。本実施例においては、切断線ｆと同様にして、切断線ｉは折線ｅに平行な直線部と、その後に右上方側へと延びる曲線部とから形成される。当該切断線ｉによって、第１仕切り後板１４の下端部が構成される。
【００３１】
そして、切断線ｉに連続して切断線ｈの上端近傍に至るまで、第２仕切り板構成区画１９を第２後側板糊代２０と第２仕切り板２１とに分離する切断線ｊが設けられる。当該切断線ｊは、切断線ｄと切断線ｅの間を通って右上方側に向かうとともに、切断線ｄから横方向に所定の間隙ｄ２を有した箇所にて、上方に凸状となる突部２２を形成し、後に下方へ凹状の第２保持部２３を形成するようにして設けられる。当該切断線ｊによって、第２仕切り板２１の上端部が構成される。また、第２保持部２３は、第２仕切り板構成区画１９における横寸法の略中央部近傍であって、縦寸法の略中央部上方に設けることが望ましい。
【００３２】
このようにして、切断線ｆ、ｇと同様の切断線ｉ、ｊが第１糊代付き仕切り板７と第２糊代付き仕切り板１８にそれぞれ形成される。また、切断線ｆ、ｇと切断線ｉ、ｊをそれぞれ相違する形状とすることができるのは勿論である。すなわち、第１前保持部１２と第１後保持部１７と第２保持部２３は、同一の形状とすることもできるし、それぞれ相違する形状とすることもできる。
【００３３】
換言すると、第１糊代付き仕切り板７又は第２糊代付き仕切り板１８における切断線の設定位置、その形状等により、プレフィルドシリンジＳを保持する箇所を適宜変更することができるものである。また、各保持部における形状の寸法誤差に対応させるために、各保持部の縁部から所定の補助切断線２４を設けることもできる。
【００３４】
そして、第１糊代付き仕切り板７においては、糊代部Ｐ１と前側板前糊代１１と前側板後糊代１５により、前側板糊代（第１側板糊代）が構成される。また、第２糊代付き仕切り板１８においては、第１後側板糊代１３と第２後側板糊代２０と糊代部Ｐ２により、後側板糊代（第３側板糊代）が構成される。
【００３５】
このようにして、展開図が形成される中仕切りは、図３に示すようにして各折線にしたがって折曲させ、所定箇所を貼着することによって組み立てられる。図３は、当該展開図の折り畳み状態図である。図４は、中仕切りを組み立てた状態の斜視図である。図５は、中仕切りを組み立てた状態にてプレフィルドシリンジを収容した平面図である。
【００３６】
具体的には、図３（ａ）に示すように、第１糊代付き仕切り板７を折線ｅに沿って内折りし、前側板糊代（糊代部Ｐ１、前側板前糊代１１、前側板後糊代１５）における裏面部の適宜箇所を前側板１に貼着する。次に、同図（ｂ）から（ｃ）に示すように、前側板１と第１糊代付き仕切り板７を折線ａに沿って右折りし、後側板糊代（第１後側板糊代１３、第２後側板糊代２０、糊代部Ｐ２）における表面部の適宜箇所を後側板３に貼着する。後に、同図（ｄ）に示すように、右側板４を折線ｃに沿って左折りし、糊代片５における表面の適宜箇所に貼着する。これにより、中仕切りの展開図が扁平に折り畳まれた状態となる。
【００３７】
そして、当該扁平に折り畳まれた状態から、表裏に夫々逆向きの力を加え引き起こすことで、図４に示すように、第１糊代付き仕切り板７と第２糊代付き仕切り板１８をそれぞれ切断線ｆ、ｇ、ｉ、ｊに沿って分離させ、第１仕切り前板１０、第１仕切り後板１４及び第２仕切り板２１を形成する。
【００３８】
より詳細には、切断線ａ、ｂ、ｆを介して第１仕切り前板１０を、切断線ｃ、ｄ、ｇ、ｉを介して第１仕切り後板１４を、切断線ｅ、ｈ、ｊを介して第２仕切り板２１をそれぞれ中仕切りの内側方向へと引き起こして、それぞれの仕切り板を形成する。このとき、前側板前糊代１１、前側板後糊代１５は、折線ｅの近傍に設けられることから、前側板１の下端近傍に貼着される。また、第１後側板糊代１３、第２後側板糊代２０は、後側板３の上端近傍に貼着される。
【００３９】
そして、それぞれの仕切り板に形成される第１前保持部１２、第１後保持部１７、第２保持部２３が中仕切りの長手方向に沿って、所定の間隔を有して順に配列されることとなる。それぞれの保持部は、中仕切りの上方から下方に向かう凹状に形成されることから、プレフィルドシリンジＳの着脱を容易に行うことができるとともに、プレフィルドシリンジＳの各部位に対応して形成されるので、隙間、緩み等がない状態で確実に保持することができる。すなわち、プレフィルドシリンジＳは、それぞれの仕切り板により、左右からの衝撃を受けにくい状態となる。
【００４０】
本実施例においては、図５に示すように、第１前保持部１２によりプレフィルドシリンジＳの先端部Ｓ１が保持され、第１後保持部１７によりプレフィルドシリンジＳの中央部Ｓ２が保持され、第２保持部２３によりプレフィルドシリンジＳの後端部Ｓ３が保持される。
【００４１】
そして、第１仕切り前板１０は、切断線ｆによって折線ｅと間隔ｔ１を有し、第１仕切り後板１４は、切断線ｉによって折線ｅと間隔ｔ３を有し、第２仕切り板２１は、前側板１と間隔ｔ２を有して設けられることから、組み立てられた際、それぞれの仕切り板は中仕切りの下端部からそれぞれの間隔ｔ１、ｔ３、ｔ２を有して浮き上がった状態となる。これにより、プレフィルドシリンジＳは、下方からの衝撃を受けにくい状態となる。
【００４２】
更に、第１仕切り後板１４においては、第１後保持部１７の一部外形を形成する突部１６が前側板１との間に所定間隙ｄ１の空間を有して形成される。また、第２仕切り板２１においては、第２保持部２３の一部外形を形成する突部２２が前側板１との間に所定間隙ｄ２の空間を有して形成される。前側板１と突部１６、２２との間の空間は、収容空間２５とされる。これにより、第１仕切り後板１４と第２仕切り板２１においては、当該収容空間２５にプレフィルドシリンジＳの内容物等を記載した説明書等の添付書類（図示しない）を収納することができる。
【００４３】
以上、説明した本発明に係る中仕切りによれば、食品、飲料、医薬品等を収納した比較的長さ寸法の大きい長尺状物品を複数の仕切り板の各保持部で保持することで、当該長尺状物品の上下、前後、左右のいずれの方向からの外部振動に対しても安定した状態となり、高い緩衝機能を備えることができる。
【００４４】
更に、上述した組み立て順序により、折線ａからｅにしたがって各構成板を折曲し、表裏に逆向きの力を加え引き起こすことでそれぞれの仕切り板を形成することができるので、自動製函機（サックマシン）で作製できるものとなり、量産化がし易いものとなる。
【実施例２】
【００４５】
本発明の実施例２に係る中仕切りについて、図６に基づいて説明する。本実施例２における中仕切りは、実施例１における構造と略同様であるが、第１糊代付き仕切り板７の構造が実施例１と相違するものである。詳細につき、以下に第１糊代付き仕切り板７ａについてのみ説明する。
【００４６】
実施例１における第１糊代付き仕切り板７は、２個の仕切り板を形成するものであったが、本実施例における第１糊代付き仕切り板７ａは、１個の仕切り板を形成するものである。すなわち、第１糊代付き仕切り板７ａは実施例１における第１仕切り後板構成区画９を有さない構造であって、実施例１における第２糊代付き仕切り板１８をそのままの状態で左横方向にスライドさせた構造となる。
【００４７】
詳細には、第１糊代付き仕切り板７ａは、前側板１における横寸法の略１／３程度であって、同程度の縦寸法に設定され、前側板１における上端の左端から所定寸法を有した中央部側にかけて設けられる。これにより、各仕切り板を中仕切りの略中央部に寄せて形成することができる。
【００４８】
そして、第１糊代付き仕切り板７ａの左端近傍に縦方向に設けられる切断線ａと、右端に縦方向に設けられる切断線ｄ、ｅとにより、第１糊代付き仕切り板７ａは縦方向に区画される。具体的には、裏面部に糊等が塗布される糊代部Ｐ１と第１仕切り板構成区画８ａとに２つに区画される。
【００４９】
更には、折線ｅから間隔ｔ３を有した上方であって、切断線ａの下端近傍から切断線ｄと切断線ｅの間を通り、第１仕切り板構成区画８ａを第１仕切り板１０ａと前側板糊代１１ａとに分離する切断線ｉが設けられる。当該切断線ｉによって、第１仕切り板１０ａの下端部が構成される。また、第１仕切り板１０ａの上端には、上方に凸状となる突部２６が設けられ、後に下方へ凹状の第１保持部１２ａが設けられる。
【００５０】
また、同図に示すように、第１糊代付き仕切り板７ａの右端には、切断線ｄ、ｅを介して第２糊代付き仕切り板１８ａが設けられる。当該第２糊代付き仕切り板１８ａは、中仕切りの組み立て時に切断線の働きで、糊代部と仕切り板に分離させることによって、当該中仕切りの前側板１から後側板３にかけて仕切り板を形成するものである。この点において、実施例１における第２糊代付き仕切り板１８と同様である。
【００５１】
そして、切断線ｉに連続して、第２糊代付き仕切り板１８ａの切断線ｈの上端近傍に至るまで、第２仕切り板構成区画１９ａを第２後側板糊代２０ａと第２仕切り板２１ａとに分離する切断線ｊが設けられる。当該切断線ｊは、切断線ｄと切断線ｅの間を通って上方側に向かうとともに、切断線ｄから横方向に所定の間隙ｄ２を有した箇所にて突部２２ａを形成し、後に凹状の第２保持部２３ａを形成するようにして設けられる。当該切断線ｊによって、第２仕切り板２１ａの上端部が構成される。また、第２保持部２３ａは、第２仕切り板構成区画１９ａにおける横寸法の略中央部近傍であって、縦寸法の略中央部上方に設けることが望ましい。これらの点においても、実施例１における第２糊代付き仕切り板１８と同様である。
【００５２】
このようにして、展開図が形成される中仕切りは、実施例１と同様にして、各折線にしたがって折曲させ、所定箇所を貼着することによって組み立てられる。そして、組み立てられた実施例２の中仕切りにおいては、前側板１における長手方向の中央部寄りに、第１仕切り板１０ａと第２仕切り板２１ａとの２つの仕切り板が形成される。その他の作用、効果等については、実施例１と同様である。
【実施例３】
【００５３】
本発明の実施例３に係る中仕切りについて、図７に基づいて説明する。本実施例３における中仕切りは、実施例１及び実施例２における構造と略同様であるが、仕切り板に設けられる突部の構造が実施例１及び実施例２と相違するものである。詳細につき、以下に説明する。
【００５４】
実施例２における第１糊代付き仕切り板７ａ、第２糊代付き仕切り板１８ａは、突部２６、突部２２ａをそれぞれ設ける構造であったが、本実施例においては突部を設けない構造とすることもできる。すなわち、切断線ｊを切断線ｉと連結させることなく、切断線ｊの一端部を切断線ｄに連結させて設けることもできる。
【００５５】
このようにして、展開図が形成される中仕切りは、実施例１及び実施例２と同様にして、各折線にしたがって折曲させ、所定箇所を貼着することによって組み立てられる。そして、組み立てられた実施例３の中仕切りにおいては、前側板１における長手方向の一端部よりに、第１仕切り板１０ａと第２仕切り板２１ａとの２つの仕切り板が形成される。本実施例の中仕切りでは、第２仕切り板２１ａに突部が形成されないので、上述の添付書類を収容することが不要な場合には、当該仕切り板の強度を向上させることができるので望ましいものとなる。その他の作用、効果等については、実施例１及び実施例２と同様である。
【実施例４】
【００５６】
本発明の実施例４に係る中仕切りについて、図８に基づいて説明する。本実施例４における中仕切りは、実施例２及び実施例３における構造と略同様であるが、前側板糊代の構造が相違するものである。詳細につき、以下に説明する。
【００５７】
実施例２及び実施例３における凹状の第１保持部１２ａは、第１糊代付き仕切り板７ａに予め形成されるものであったが、本実施例における第１保持部１２ｂは、第１糊代付き仕切り板７ｂの切断線による分離によって形成するものである。
【００５８】
詳細には、第１糊代付き仕切り板７ｂにおける切断線ａの上端近傍から横方向に延びるとともに、後に下方へ凹状の第１保持部１２ｂを形成して、第１糊代付き仕切り板７ｂの上端まで延びる切断線ｋが設けられる。これにより、第１糊代付き仕切り板７ｂは、上下方向に前側板糊代１１ｂを有し、左方向に糊代部Ｐ３とを有してなり、略コ字状の前側板糊代が形成される。
【００５９】
このようにして、展開図が形成される中仕切りは、実施例２及び実施例３と同様にして、各折線にしたがって折曲させ、所定箇所を貼着することによって組み立てられる。そして、組み立てられた実施例４の中仕切りにおいては、第１糊代付き仕切り板７ｂにおける切断線ｉ、ｋにより分離されて、第１仕切り板１０ｂが形成される。これにより、前側板１への貼着面積を増加することができるので望ましいものとなる。その他の作用、効果等については、実施例１から実施例３と同様である。
【００６０】
上述した実施例１から実施例４において、第１糊代付き仕切り板、第２糊代付き仕切り板、これらに形成される各切断線による各仕切り板、前側板糊代、後側板糊代の形状、寸法、材質等を適宜変更して実施することが可能である。また、一部構成を省略することができるし、一部抽出した構成とすることができるのは勿論である。
【００６１】
例えば、第１糊代付き仕切り板においては、中仕切りに収容可能な範囲において、仕切り板の個数を増やすことができるし、第１糊代付き仕切り板により形成される仕切り板の全てに突部を設けた構造とすることもできる。また、切断線の形状により仕切り板の全てに突部を設けない構造とすることもできる。
【００６２】
また、収容空間２５においては、各仕切り板と前側板１（第１側板）との間に形成されるものであったが、これに限られることなく、各仕切り板と後側板３（第３側板）との間に形成することもできる。
【００６３】
また、図９に示すように、実施例１における台紙と対称となるように形成することもできる。詳細には、第１糊代付き仕切り板７を前側板１における上端の右端から左端にかけて設け、第１糊代付き仕切り板７の左端に、切断線ｄ、ｅを介して第２糊代付き仕切り板１８を設けることもできる。その他、折り方等については、実施例１と左右対称に組み立てられるものである。
【符号の説明】
【００６４】
１      前側板
２      左側板
３      後側板
４      右側板
５      糊代片
６      切欠部
７      第１糊代付仕切り板
８      第１仕切り前板構成区画
９      第１仕切り後板構成区画
１０    第１仕切り前板
１１    前側板前糊代
１２    第１前保持部
１３    第１後側板糊代
１４    第１仕切り後板
１５    前側板後糊代
１６    突部
１７    第１後保持部
１８    第２糊代付き仕切り板
１９    第２仕切り板構成区画
２０    第２後側板糊代
２１    第２仕切り板
２２    突部
２３    第２保持部
２４    補助切断線
２５    収容空間
【図１】
2015113158.tif 000003
【図２】
2015113158.tif 000004
【図３】
2015113158.tif 000005
【図４】
2015113158.tif 000006
【図５】
2015113158.tif 000007
【図６】
2015113158.tif 000008
【図７】
2015113158.tif 000009
【図８】
2015113158.tif 000010
【図９】
2015113158.tif 000011